(57)【特許請求の範囲】
【請求項１】
前面並びに上面を開放したこんろ主枠の前面に、前板を取り付けて成るこんろ本体構造において、こんろ主枠の底板の前端部に、垂直に立ち下がる締め代と、該締め代の下端縁から前方に突出する突出片を形成し、前記こんろ主枠の底板の突出片に重なる底板と、その後端から垂直に立ち上がって前記こんろ主枠の底板の締め代に重なる締め代が形成されて、こんろ主枠の前端部の底面と両側面に沿って取り付けられる補助枠を、前板の構成部品の一部としたことを特徴とするこんろ本体構造。
【請求項２】
器具栓を収納した部分の前面を覆うこんろパネルを板金製とした事を特徴とする請求項１記載のこんろ本体構造。
【発明の詳細な説明】
【０００１】
【発明の属する技術分野】
本発明は、主としてカウンタに設けた透穴に落し込んで取り付けるドロップイン式のガスこんろ本体構造に関する。
【０００２】
【従来の技術】
従来、この種のガスこんろ本体として、図７に示すごとくこんろ主枠ａの前面に前板ｂを設けたものは知られている。
これを説明すると、前面並びに上面を解放した板金製のこんろ主枠ａと、その前端上縁にねじ止めする板金製の横桟ｃと、該横桟ｃとこんろ主枠ａの前端底部との間に取り付けた左右一対の板金製のピラーｄ、ｄと、こんろ主枠ａ並びに横桟ｃの上面に取り付けられる環状の板金製の上部枠ｅと、該上部枠ｅの前面に取り付けられる板金製の前遮熱板ｆと、上部枠ｅの両側に取り付けられる板金製の側遮熱板ｇ、ｇと、上部枠ｅの後面に取り付けられる板金製のカバーｈと、こんろ主枠ａの前面に取り付けた前板ｂとを備え、前板ｂは、前板主枠ｂ1 と該前板主枠ｂ1 の中央部に設けた前板グリル枠ｂ2 と前板グリル枠ｂ2 の左右両側に設けた前板補助枠ｂ4 、ｂ4 とを板金で一体構成した前板本体ｂ10と、該前板グリル枠ｂ2 の上部前面に設けた板金製のグリル上部飾り枠ｂ3 と、該前板補助枠ｂ4 、ｂ4 の前面に設けた樹脂製のこんろパネルｂ5 とからなり、該パネルｂ5 に操作部（操作ボタン等）ｋを設け、該操作部ｋをこんろ主枠ａ内に設けた器具栓（図示しない）と対向させて器具栓を押し操作するようにしている。
また、他の手段として、こんろ主枠ａの前端部が上記前板主枠ｂ1 を兼ねるものもある。
【０００３】
【発明が解決しようとする課題】
しかし、前者は、前板ｂをこんろ主枠ａに取り付けたグリルボックス等にねじ止めして固定しているため、組付後の操作部ｋとこんろ部等を制御する器具栓との相関寸法にバラツキが生じ易く、また、こんろ主枠ａは、前面並びに上面を解放されているため、前端部が脆弱で、取り落とした場合、前板ｂに変形・ねじれ等を生じたり、こんろ主枠ａの前端部がその衝撃で変形する等して、操作部ｋと器具栓との相関不良を生じ易い。
そこで、肉厚の金属板を使用する必要がありこんろ本体が高価となる不具合がある。
後者は、こんろ主枠の前端部が、前板の両側板と底板を兼ねる構造とした関係上、該前板に設けた操作部と、器具栓との相関を取り易い利点はあるが、これもこんろ主枠ａの前端部が脆弱となり勝ちで、落下等の衝撃でこんろ主枠ａが変形を起こし易く、この変形で操作部ｋと器具栓との位置関係がずれる恐れがあり、そこで、肉厚の金属板を使用する必要を生じこんろ本体が高価となる不具合がある。
しかも、デザイン変更等が発生するとその都度全てを設計変更しなければならない等の不具合がある。
更に、上述のようにこんろパネルを樹脂製とすると、脆弱で補強材を別途設けるを要しその分、部品点数が増えて高価となる不具合がある。
【０００４】
【課題を解決するための手段】
本願の請求項１に記載の発明は、上記不具合を解消したもので、前面並びに上面を開放したこんろ主枠の前面に、前板を取り付けて成るこんろ本体構造において、こんろ主枠の底板の前端部に、垂直に立ち下がる締め代と、該締め代の下端縁から前方に突出する突出片を形成し、前記こんろ主枠の底板の突出片に重なる底板と、その後端から垂直に立ち上がって前記こんろ主枠の底板の締め代に重なる締め代が形成されて、こんろ主枠の前端部の底面と両側面に沿って取り付けられる補助枠を、前板の構成部品の一部としたことで、こんろ主枠の前端部に補助枠が重なってこんろ本体を補強できる。
【０００５】
本願の請求項２に記載の発明は、請求項１に記載の発明において、器具栓を収納した部分の前面を覆うこんろパネルを板金製としたことで、樹脂製のこんろパネルのように補強材を必要とせず、その分部品点数が減る。
【０００６】
【発明の実施の形態】
本発明実施の形態を図に付き説明する。
図１において、１は板金製のこんろ本体を示し、図示するものは、こんろ本体１として、カウンタＣ（図４に示す）に設けた透穴にドロップインする式のこんろ本体を示す。
２は該こんろ本体１の上面に設けた天板を示し、該天板２の上面の左右前側と中央後部にこんろ部３が臨み、こんろ本体１の内部中央にグリル部４が臨む。
こんろ本体１の前面左右には、各こんろ部３の点消火操作用ボタン（操作部）５とグリル部４の点消火用操作ボタン（操作部）６とを備える。
【０００７】
こんろ本体１の詳細は、図２に示すごとく、前面並びに上面を解放した板金製のこんろ主枠１ａと、該こんろ主枠１ａの前端部の底面と両側面に沿って取り付けられる板金製の補助枠１ｂと、こんろ主枠１ａの前端上部に取り付けられる板金製の横桟１ｃと、該横桟１ｃの上面に沿って取り付けられる板金製の上部飾り枠１ｄと、該こんろ主枠１ａの中央前面に取り付けられる板金製の前板グリル枠１ｅと、該前板グリル枠１ｅの両側に取り付けられる板金製のピラー１ｆ、１ｆと、前板グリル枠１ｅの前面上部に取り付けられる板金製のグリル上部飾り板１ｇと、こんろ主枠１ａの上面に取り付けられる板金製の環状の上部枠１ｈと、該上部枠１ｈの前面に取り付けられる板金製の前遮熱板１ｊと、上部枠１ｈの両側に取り付けられる板金製の側面遮熱板１ｋ、１ｋと、上部枠１ｈの後面に取り付けられる板金製のカバー１ｍと、こんろ主枠１ａの両側前面を覆う板金製のこんろパネル１ｎ、１ｎからなり、上記補助枠１ｂと横桟１ｃと上部飾り枠１ｄと前板グリル枠１ｅとグリル上部飾り板１ｇとこんろパネル１ｎ、１ｎとで前板を構成する。
【０００８】
なお、左側のこんろパネル１ｎには、天板の上面の左と中央に臨むこんろ部３の点消火操作用ボタン５を取り付け、右側のこんろパネル１ｎには、天板２の上面の右に臨むこんろ部３の点消火操作用ボタン５とグリル部４の点消火用操作ボタン６を取り付けた。
なお、図３でｐは、こんろ本体１をカウンタＣに吊持するとき、カウンタＣと上部枠１ｈに設けたフランジ１ｈー１との間に介在させたパッキンを示す。
【０００９】
こんろ主枠１ａは、図３に示すごとく、その底板の前端縁から垂直に立ち下る締め代１ａー１と、該締め代１ａー１の下端縁から前方に突出する突出片１ａー２とを備える。
【００１０】
補助枠１ｂは、図２、図３に示すごとく、その後端下部に、前記締め代１ａー１と重なる締め代１ｂー１を備え、該締め代１ａー１に締め代１ｂー１を重ねて、主枠１ａに補助枠１ｂを締め付け固定するとき、補助枠１ｂの底板１ｂー２が、突出片１ａー２の上面に重なると共に、両側板１ａー３、１ａー３の前端部内側面に補助枠１ｂの両側板１ｂー３、１ｂー３が重なる。従って主枠１ａの前端部（底面並びに両側）に２重に金属板が重なる部分ができて前端部が補強される。なお、両側板１ａー３と補助枠１ｂの両側板１ｂー３とはねじで締め付け固定する。
【００１１】
横桟１ｃは、前遮熱板１ｊに設けたフランジ１ｊー１の上面に重なる平板部１ｃー１と、該平板部１ｃー１の後端に設けた係止爪１ｃー２と、前端両側に設けた前記こんろパネル１ｎをねじで締め付け固定するねじ締め代１ｃー３、１ｃー３を備える。
その取り付けは、前遮熱板１ｊに設けたフランジ１ｊー１上に平板部１ｃー１を重ねると共に、爪１ｃー２をフランジ１ｊー１に設けた孔１ｊー２に挿し込み、横桟１ｃの前端部下面を補助枠１ｂの両側板１ｂー３、１ｂー３の上端に設けた締め代１ｂー３ａに重ねてねじで締め付け固定する。
【００１２】
上部飾り枠１ｄは、金属板をコ字型に屈曲して構成した庇状部１ｄー１の上板から後方に延びる平板部１ｄー２と、該平板部１ｄー２の後端に設けた爪１ｄー３と中央部に取り付けた前記前板グリル枠１ｅをねじで締め付ける締め代１ｄー４とを備え、該上部飾り枠１ｄの平板部１ｄー２を横桟１ｃの上面に重ねてその後端の爪１ｄー３を横桟１ｃに設けた係止孔１ｃー４に係合させ、且つ前板グリル枠１ｅの前面に締め代１ｄー４を重ねて前面からねじで締め付け固定するようにした。
かくすることで上部飾り枠１ｄは、前板グリル枠１ｅに確実に固定されて、組付時の変形・浮き上がりを防止でき、且つこんろ本体１の前面からねじによる締め付けを解くだけで、簡単に上部飾り枠１ｄを取り外すことができて、上部飾り枠１ｄの取替え等のメンテナンス作業が行い易くなる。しかも、図３に示すごとく、こんろパネル１ｎの上端に設けた折曲部１ｎー１で、前記庇状部１ｄー１の上板下面を支承させることによって、上部飾り枠１ｄの沈みも防止できる。
【００１３】
前板グリル枠１ｅは、こんろ主枠１ａ内に取り付けたグリルボックス（図示しない）の前面にねじ止めして取り付け、グリル上部飾り板１ｇはその前板グリル枠１ｅの前面にねじ止め固定される。
【００１４】
こんろパネル１ｎは、図５に示すごとく、平板部１ｎー２と、該平板部１ｎー２の下端部を後方に折り曲げて形成した折曲部１ｎー３（図４に示す）と、折曲部１ｎー３から上方に突出する係合突起１ｎー４と、該平板部１ｎー２に設けられ前記点消火操作ボタン５並びに６を取り付ける取付孔１ｎー５と、該平板部１ｎー２の上端を後方に折り曲げて構成した水平部１ｎー８と、該水平部１ｎー８の後端から上方に立ち上がる立上部１ｎー９を有し、該立上部１ｎー９には絞り操作レバー挿通用の透孔１ｎー１０を備え、該立上部１ｎー９の上端に、上部飾り枠１ｄの平板部１ｄー２の下面を支承する前記折曲部１ｎー１を設けた。
こんろパネル１ｎは、図４に示すごとく係合突起１ｎー４を、補助枠１ｂの底面に設けた係合孔１ａー４に係合させると共にこんろパネル１ｎの上端の立上部１ｎー９を前記横桟１ｃの前面に設けたねじ締め代１ｃー３に締め付け固定して組み付ける。
【００１５】
点消火操作用ボタン（操作部）５または６は、図４に示すごとく、こんろパネル１ｎの内側面に一体に取り付けた樹脂製のケース９に、上端で軸支させて取り付け、点消火操作用ボタン（操作部）５または６の内側面を器具栓Ａに当接させる。
【００１６】
こんろパネル１ｎを特に板金製とした場合、点着火、又は消火のために点消火操作用ボタン（操作部）５または６を押すと、点消火操作用ボタン５または６の軸支点と、点消火操作用ボタン５または６と器具栓Ａの作用点の位置関係により、こんろパネル１ｎにこれを上方に押圧する荷重がかかってこんろパネル１ｎに浮きが発生する。
これを説明すると器具栓Ａの操作性を考慮して、器具栓Ａはその前端が斜め上向きに傾斜した状態に設けられ、且つ点消火操作用ボタン５または６の器具栓Ａの対向面が斜め上方から器具栓Ａを押すように傾斜している関係上、こんろパネル１ｎにこれを上方に押圧する力がかかり、こんろパネル１ｎに浮きが発生する。すると、点消火操作用ボタン５または６は、器具栓Ａに対して位置ずれを生じ、操作部材８の押し不足による点着火不良を生じる恐れがある。
【００１７】
そこで、図５に示すごとく、こんろパネル１ｎからこれに隣接するグリル上部飾り板１ｇに当接する突片１ｎー１１を突出させ、上部飾り板１ｇを突片１ｎー１１に支承させることでこんろパネル１ｎの浮きを防止するようにした。
【００１８】
これを説明すると、グリル上部飾り板１ｇは、図２に示すごとく金属板をコ字状に屈曲させて上部に庇１ｇー１を形成している。この庇１ｇー１を構成する前板の背面と上板の下面に突片１ｎー１１を当接させることでこんろパネル１ｎの浮きを防いだ。
【００１９】
なお、図示する器具栓Ａは、戻しばね７に抗して始端位置Ｘから中間位置Ｙを経て終端位置Ｚまで押圧される操作部材８と、戻しばね７による復帰動作をその中間位置Ｙに係止するロック部材１０とを備え、点消火操作用ボタン５または６を押して、操作部材８を始端位置Ｘから終端位置Ｚまで押圧操作したとき、バーナ（図示しない）に連なるガス通路１１に介在させた遮断弁１２及び電磁安全弁１３が押圧開弁され、且つ点火プラグ（図示しない）を作動させる点火スイッチ（図示しない）を閉じて、バーナの炎口から吹出するガスを点火させる。そして押圧解除で中間位置Ｙに保持され、点消火操作用ボタン５または６の再押操作で操作部材８の中間位置Ｙへの係止を解くと遮断弁１２が閉じて消火する。
【００２０】
なお、図６に示すごとくグリル上部飾り板１ｇからこんろパネル１ｎに当接する突片１ｇー２を突出させ、図５に示すこんろパネル１ｎに設けた水平部１ｎー８の上面に突片１ｇー２を当接させることで、パネル１ｎの浮きを防止することもできる。
【００２１】
【発明の効果】
本願の請求項１記載の発明によるときは、こんろ主枠の前端部に、前板の構成部品の一部である補助枠が重なるためこんろ本体の前端部が２重となって補強され、従来例の不具合を解消できる。
【００２２】
請求項２記載の発明によるときは、器具栓を収納した部分の前面を覆うこんろパネルを板金製としたことで、樹脂製のこんろパネルのように補強材を必要とせず、その分部品点数が減り製造コストを下げることができる。
【図面の簡単な説明】
【図１】  本発明の実施の態様の一例を示す斜面図
【図２】  器具本体の分解斜面図
【図３】  器具本体の前部分を示す一部を切除した側面図
【図４】  器具本体の要部を示す一部を截断側面図
【図５】  こんろパネルの正面図
【図６】  こんろパネルの浮きを防ぐ他の手段を示す図（突片をグリル上部飾り板から突出させた正面図）
【図７】  従来例の分解斜面図
【符号の説明】
１  こんろ本体            １ａ  こんろ主枠        １ｂ  補助枠
【図１】
0003810590.tif 000002
【図２】
0003810590.tif 000003
【図３】
0003810590.tif 000004
【図４】
0003810590.tif 000005
【図５】
0003810590.tif 000006
【図６】
0003810590.tif 000007
【図７】
0003810590.tif 000008